(57)【要約】【課題】段ボールから構成され、使用する際に、その場で組立てを行なうことができるとともに、組立てのために特別な止着手段や接着手段を必要としない動物用収納箱を提供する。【解決手段】底板１１の両側の短辺側側板２６の両側にそれぞれ折曲げ線３３を介して補助側板３４を連設し、一方の補助側板３４には上縁側の切込み３５を形成し、反対側の補助側板３４には下縁側の切込み３６を形成する。そしてこれらの切込み３５、３６を互いに上下から組合わせて補助側板３４を交差させるように組立てる。そして底板１１の両側の長辺側側板１３を上記補助側板３４の外側に重合わせ、上記補助側板３４に切込みによって形成されたロック片４０を両側の長辺側側板１３の係止部４５に係止することによって、直方体状に組立てられた状態を維持する。【選択図】図４
2008220854.tif 000002
【特許請求の範囲】
【請求項１】
段ボールを折曲げて組立てられた直方体状の包装箱であって、
互いに対向する一対の短辺側側板または長辺側側板の両側にそれぞれ補助側板が連設されるとともに、一方の短辺側側板または長辺側側板の両側に連設されている補助側板の下縁の切込みと他方の短辺側側板または長辺側側板の両側に連設されている補助側板の上縁の切込みとが互いに交差するように組合わされ、
しかも互いに対向しかつ前記補助側板が連設されていない一対の長辺側側板または短辺側側板が前記補助側板の外側に重ねて配されることを特徴とする動物用収納箱。
【請求項２】
前記補助側板と前記短辺側側板または前記長辺側側板との間の折曲げ線によって折曲げ可能なロック片を前記補助側板に切込みによって形成し、該ロック片を外側に重ねて配される前記一対の長辺側側板または短辺側側板の係止部に係止することを特徴とする請求項１に記載の動物用収納箱。
【請求項３】
前記補助側板が連設される一対の短辺側側板または長辺側側板の一方に開口が形成され、底板の下側に配される補助底板の端部に折曲げ可能に連設された閉塞板を前記短辺側側板または前記長辺側側板の一方と重合わせることによって前記開口を開閉自在に塞ぐことを特徴とする請求項１に記載の動物用収納箱。
【請求項４】
前記補助側板の外側に重ねて配される一対の長辺側側板または短辺側側板の上端にそれぞれ蓋板が連設され、両側の蓋板が切妻状に組合わされるとともに、前記蓋板の上端に吊下げひもが取付けられることを特徴とする請求項１に記載の動物用収納箱。
【請求項５】
底板の上面に載置板が配されるとともに、該載置板上に放熱用のカーボングラファイトシートが接合されることを特徴とする請求項１に記載の動物用収納箱。
【請求項６】
前記放熱用のカーボングラファイトシートが接合された載置板上に吸水性ポリマーシートが配されることを特徴とする請求項５に記載の動物用収納箱。
【請求項７】
底板の上面に載置板が配されるとともに、該載置板上にカーボングラファイトを所定のパターンに打抜いて形成されるとともに、耐熱性高分子フィルムによって絶縁被覆された面状発熱体が配されることを特徴とする請求項１に記載の動物用収納箱。
【請求項８】
前記面状発熱体が配される載置板上に吸水性ポリマーシートが配されることを特徴とする請求項７に記載の動物用収納箱。
【請求項９】
底板の上面に直接あるいは載置板を介して防水用トレーが配されることを特徴とする請求項１に記載の動物用収納箱。
【発明の詳細な説明】
【技術分野】
【０００１】
本発明は動物用収納箱に係り、とくに段ボールを折曲げて組立てられた直方体状の動物用収納箱に関する。
【背景技術】
【０００２】
例えば特開２００３−９３１２７号公報には、キャリー枠体にセットされる動物収納用バッグを備えたペット用キャリーケースであって、キャリー枠体を、ベース枠と、ベース枠に縦方向に設けた縦枠兼取手杆と、ベース枠に設けたキャスターとでなり、縦枠兼取手杆の縦方向に設けた構成を利用し、バッグを搬送する人の至近距離において、略水平移動を可能としたペット用キャリーケースであって、ペットに安心感を与え、搬送による疲労感の解消と、体調の維持が図られるようにしたペット用キャリーケースが提案されている。
【０００３】
また特開２００６−３２５４１４号公報には、膜状素材からなる箱と該箱を支える構造材とで小動物収納箱を構成し、構造材として対面にＸ状構造の部材を配し、両Ｘ状構造部材を直棒状部材で着脱容易に連結し、また箱の底面部分を２重構造とし、該２重構造の膜状素材の間に直棒状部材を挟持させ、さらに直棒状部材の外側に自在に回転する機構を設け、箱に適当な張り具合をもたせて展張させることができるようにした小動物用収納箱が開示されている。
【０００４】
特開２００３−９３１２７号公報に開示されているペット用キャリーケースは、その本体部分が合成樹脂の成形体によって成形されたものであって、このために成形用金型を必要とする。また筐体それ自身が必ずしも断熱効果を有しておらず、このために外部の温度によって内部の温度も変動し易い欠点がある。
【０００５】
これに対して特開２００６−３２５４１４号公報に開示されている小動物収納箱は、その中に犬や猫を入れて持運ぶのには不適当な構造になっている。また両側のＸ軸状の部材によって、収納箱が全体としてかさばる欠点がある。
【特許文献１】特開２００３−９３１２７号公報
【特許文献２】特開２００６−３２５４１４号公報
【発明の開示】
【発明が解決しようとする課題】
【０００６】
本願発明の課題は、犬や猫のようなペットをその中に入れて容易に持運ぶことができるようにした動物用収納箱を提供することである。
【０００７】
本願発明の別の課題は、段ボールによって構成され、しかも内部に動物を収納して持運ぶことができるようにした動物用収納箱を提供することである。
【０００８】
本願発明のさらに別の課題は、必要に応じて組立てて収納箱とし、その状態で動物を収納できるようにした動物用収納箱を提供することである。
【０００９】
本願発明のさらに別の課題は、中に入れた動物が確実に保護されるようにした動物用収納箱を提供することである。
【００１０】
本願発明のさらに別の課題は、内部の温度を安定的に維持できるようにした動物用収納箱を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、段ボールを折曲げて組立てられた直方体状の包装箱であって、
互いに対向する一対の短辺側側板または長辺側側板の両側にそれぞれ補助側板が連設されるとともに、一方の短辺側側板または長辺側側板の両側に連設されている補助側板の下縁の切込みと他方の短辺側側板または長辺側側板の両側に連設されている補助側板の上縁の切込みとが互いに交差するように組合わされ、
しかも互いに対向しかつ前記補助側板が連設されていない一対の長辺側側板または短辺側側板が前記補助側板の外側に重ねて配されることを特徴とする動物用収納箱に関するものである。
【００１３】
ここで、前記補助側板と前記短辺側側板または前記長辺側側板との間の折曲げ線によって折曲げ可能なロック片を前記補助側板に切込みによって形成し、該ロック片を外側に重ねて配される前記一対の長辺側側板または短辺側側板の係止部に係止してよい。また前記補助側板が連設される一対の短辺側側板または長辺側側板の一方に開口が形成され、底板の下側に配される補助底板の端部に折曲げ可能に連設された閉塞板を前記短辺側側板または前記長辺側側板の一方と重合わせることによって前記開口を開閉自在に塞ぐようにしてよい。また前記補助側板の外側に重ねて配される一対の長辺側側板または短辺側側板の上端にそれぞれ蓋板が連設され、両側の蓋板が切妻状に組合わされるとともに、前記蓋板の上端に吊下げひもが取付けられてよい。
【００１４】
また、底板の上面に載置板が配されるとともに、該載置板上に放熱用のカーボングラファイトシートが接合されてよい。また前記放熱用のカーボングラファイトシートが接合された載置板上に吸水性ポリマーシートが配されてよい。また底板の上面に載置板が配されるとともに、該載置板上にカーボングラファイトを所定のパターンに打抜いて形成されるとともに、耐熱性高分子フィルムによって絶縁被覆された面状発熱体が配されてよい。また前記面状発熱体が配される載置板上に吸水性ポリマーシートが配されてよい。また底板の上面に直接あるいは載置板を介して防水用トレーが配されてよい。
【発明の効果】
【００１５】
本願の主要な発明は、段ボールを折曲げて組立てられた直方体状の包装箱であって、互いに対向する一対の短辺側側板または長辺側側板の両側にそれぞれ補助側板が連設されるとともに、一方の短辺側側板または長辺側側板の両側に連設されている補助側板の下縁の切込みと他方の短辺側側板または長辺側側板の両側に連設されている補助側板の上縁の切込みとが互いに交差するように組合わされ、しかも互いに対向しかつ補助側板が連設されていない一対の長辺側側板または短辺側側板が補助側板の外側に重ねて配されるようにしたものである。
【００１６】
従ってこのような動物用収納箱によると、段ボールを折曲げて組立てることが可能になり、これによって成形用金型を必要とせず、また寸法等の仕様変更に容易に対応できるようになる。またこのような包装箱は、所定の形状に打抜かれた段ボールを折曲げるとともに、両側の補助側板の下縁の切込みと上縁の切込みとを互いに交差するように組合わせるとともに、その外側に長辺側側板または短辺側側板を重ねて配することによって容易に組立てを行うことができ、予め折畳んだ状態で供給し、使用時に組立てることが可能になる。またこの組立ての際に、特別な接合手段や糊剤、あるいは接着剤を必要としない。
【発明を実施するための最良の形態】
【００１７】
以下本願発明を図示の実施の形態によって説明する。図１は本実施の形態に係る動物用収納箱を組立てるための段ボール原紙を示しており、そのほぼ中央部には底板１１が配される。底板１１の互いに対向する長辺側の部分にはそれぞれ折曲げ線１２を介して長辺側側板１３が連設される。そして長辺側側板１３の先端側には、折曲げ線１４を介して蓋板１５が連設されるようになっている。蓋板１５には、比較的小さな円形の開口から成る通気孔１６が、例えば７個形成される。そしてこのような蓋板１５の先端側にはさらに折曲げ線１７を介して天板１８が連設されるとともに、天板１８にはスリット状開口１９が形成されるようになっている。また天板１８の先端部には、折曲げ線２０を介して押え板２１が連設されている。
【００１８】
次に底板１１の互いに対向する短辺側にはそれぞれ折曲げ線２５を介して短辺側側板２６が連設される。短辺側側板２６はその先端側に折曲げ線２７を備えるとともに、折曲げ線２７の先端側の部分が補助蓋板２８になっている。なお補助蓋板２８にはその両肩の部分にそれぞれ斜めの折曲げ線２９がハの字状に形成されている。そして一方の短辺側側板２６には、窓を形成する比較的大きな円形の開口３０が形成される。なおこの開口３０には、必要に応じて透明な生分解性の高分子フィルム、例えばポリ乳酸製のフィルムを接合することが好適である。
【００１９】
次に上記短辺側側板２６の両側の補助側板３４の構成について説明すると、短辺側側板２６の両側にはそれぞれ折曲げ線３３が形成されるとともに、このような折曲げ線３３によって折曲げ可能に補助側板３４が連設される。ここで円形の開口３０を有する短辺側側板２６の両側の補助側板３４にはその上部に上縁側の切込み３５が形成される。これに対して円形の開口３０を備えていない反対側の短辺側側板２６に折曲げ線３３を介して連設されている補助側板３４には、下縁側の切込み３６が形成される。
【００２０】
上記補助側板３４の折曲げ線３３に接する部位には、ロック片４０が切込みによって形成される。ロック片４０は上記折曲げ線３３の部位で折曲げ可能になっている。そしてこのようなロック片４０を係止するための係止部４５が両側の長辺側側板１３に形成される。係止部４５はとくに図７に拡大して示すように、互いに平行な比較的短い一対の切込み４１を備え、これらの切込み４１の根元部分がそれぞれ折曲げ線４２になっている。そして両側の折曲げ線４２の中間部には横方向の切断線４３が形成されるとともに、この切断線４３を横切るように円形孔４４が形成されている。このような構造によって、上下一対の係止片４６が折曲げ線４２を中心として開閉自在に形成される。
【００２１】
次にこのような構造の段ボールによって動物用収納箱を組立てる動作について説明する。図２に示すように、この段ボールシートの短辺側側板２６を折曲げ線２５の部分で底板１１に対して上方に折曲げる。このときに短辺側側板２６の両側に形成されている補助側板３４を折曲げ線３３によって短辺側側板２６に対して直角に内側に折曲げる。そしてこれらの補助側板３４の上縁側の切込み３５と下縁側の切込み３６とを互いに上下から係合させ、これによって両側の補助側板３４が図３に示すように互いに交差した状態で組合わされるようにする。このときに上記短辺側側板２６は底板１１に対して直角に折曲げられることになる。
【００２２】
このように両側の補助側板３４をそれぞれ上縁側の切込み３５と下縁側の切込み３６とによって互いに交差するように組合わせたならば、これらの補助側板３４の外側に図３および図４に示すように、長辺側側板１３を重合わせるように折曲げ線１２のところで底板１２に対して直角に折曲げる。そして補助側板３４の折曲げ線３３に接して形成されているロック片４０を外側に起こすとともに、このようなロック片４０を長辺側側板１３の係止部４５に係止する。
【００２３】
この係止の動作は、図７に拡大して示されている。まずロック片４０を折曲げ線３３のところで外側に開くようにする。そしてこの状態で、中央の円形孔４４の部分に指を入れて切断線４３と両側の切込み４１によって囲まれる領域から成る係止片４６を、折曲げ線４２のところで図７Ｂに示すようにそれぞれ上下に開く。そしてこのように開かれた係止部４５に図７Ｃに示すようにロック片４０の先端側の部分を挿入する。このときにロック片４０はその根元側の部分の折曲げ線３３の部分で折曲げられる。ロック片４０を押込んだ後に、再び上記係止部４５の円形孔４４の上下の係止片４６をそれぞれ元に状態に復帰させ、ロック片４０の先端部を押込むように係止片４６で押えて固定する。
【００２４】
これによって図４および図５に示すように、この段ボールによってほぼ直方体状の収納箱が組立てられることになる。そしてこの後に、天板１８のスリット状開口１９の部分に吊下げひも５０を取付ける。吊下げひも５０は、その両端がそれぞれ細長い抜け防止板４８の挿通孔４９に挿通されるとともに、挿通した後に結び目を形成している。従ってこれにより、吊下げひも５０が抜け防止板４８から離脱できなくなる。このような吊下げひも５０を上記の天板１８のスリット状開口１９を挿通させることによって、蓋体１５を閉じると図６に示すようにこの吊下げひも５０で段ボール製の収納箱を持つことができるようになる。なお吊下げひも５０の抜け防止板４８による抜け防止の構造は、図８および図９に示す断面図によって明確に示されている。
【００２５】
またこのような動物用収納箱内には、図４、図１０、および図１１に示すような載置板５３が収納される。載置板５３はこの包装箱の内側の寸法とほぼ整合するように、その両側にそれぞれ側壁部５６を備えている。そしてこの載置板５３上には、放熱板５４が配される。この放熱板５４は、例えばカーボングラファイトシートから構成され、このカーボングラファイトシートから成る放熱板５４を載置板５３の表面に重合わせるか接合した構造となっている。一般にカーボングラファイトシートは放熱性に優れ、このためにこの包装箱の底部に熱が滞留し難くなる。従って夏期のような暑い時期には、この放熱シート５５によって放熱効果を高め、内部を快適な状態とすることができ、これによって中に収納された動物が保護される。また上記放熱板５４を載置した載置板５３上には、さらにポリマーシート５５が配される。ポリマーシート５５は、例えば吸水性の高分子シートから構成され、この高分子シートの外側を不織布によって包囲したものであってよい。
【００２６】
また寒冷期であって、雰囲気温度が低い状態でこの収納箱を使用する場合には、図１２〜図１４に示すような面状発熱体５８をこの収納箱の載置板５３の上側に、放熱板５４に代えて配置する。面状発熱体５８は図１３に拡大して示すように、シート状をなすカーボングラファイトを所定の形状に打抜いたものであって、そのパターンの両端側にそれぞれ端子板６０が取付けられ、このような端子板６０にリード線６１を接続している。なおカーボングラファイトのパターン５９は、その上下両面に耐熱樹脂フィルム６２が接合され、これによって絶縁が行われることになる。
【００２７】
このようなカーボングラファイトのパターン５９から成る面状発熱体５８を載置板５３の上に配置し、上記リード線６１によってこのカーボングラファイトのパターン５９に通電すると、ジュール熱によってこの面状発熱体が発熱する。従ってこれにより、内部を適切な温度に維持することが可能になる。なお面状発熱体による熱は、上記ポリマーシート５５によって緩衝され、このために中に収納された動物が局部的に熱を感ずることがなく、マイルドな暖かい状態に内部を維持することが可能になる。
【００２８】
またこのような動物用収納箱は、一方の短辺側側板２６に形成されている円形の開口３０を閉じるようにしてもよい。この場合には、図４〜図６に示すように、底板１１の下側に補助底板６５を接合する。補助底板６５にはその一端に折曲げ線６６を介して閉塞板６７が連設される。このような閉塞板６７を短辺側側板２６の外側に重ねるようにすればよい。ここで閉塞板６７は、例えば面ファスナによって閉じた状態で維持されるようにしてよい。これによって、上記短辺側側板２６の側面の円形の開口３０を閉じることが可能になり、例えば外部からの刺激を遮断できるようになる。また必要に応じて上記閉塞板６７を開くことにより、内部に収納した動物を短辺側側板２６の円形の開口３０を通して観察することができる。
【００２９】
このように本実施の形態の動物用収納箱は、図１に示すように打抜かれた段ボールを用いて、直方体状に組立てられるようになっており、図５に示すように直方体状に組立てられることが可能になる。そして図５に示すように、直方体状に組立てられた状態において、上部開口から中に犬や猫等のペットを入れることが可能である。そしてペットを入れた後に、図６に示すように、上部開口を蓋板１５によって閉じるとともに、天板１８のスリット状開口１９に取付けられた吊下げひも５０によって手で持って運ぶことができる。
【００３０】
すなわちこの収納箱は、図１に示すように展開した状態で供給し、動物を入れるときに図２および図３に示すようにして組立てればよく、このためにこの包装箱を予め直方体状に組立てておく必要がなく、これによって包装箱の保管スペースを大幅に削減することが可能になる。またこのような包装箱は、それ自体が段ボールから構成されているために、リサイクル可能であって、廃棄物の処理の問題を解消できるようになる。
【００３１】
またこのような包装箱は、その内部に配される載置板５３上のカーボングラファイトシートから成る放熱板５４によって放熱効果を高め、これによってとくに床の部分であってペットが接する部分の温度を下げることが可能になり、とくに高温時における内部空間の快適性を付与できるようになる。また寒冷時においては、上記放熱板５４に代えて図１２〜図１４に示す面状発熱体５８を配し、この面状発熱体５８に対して通電を行うことによって、ジュール熱で発熱させて内部空間の温度低下を抑えることが可能になる。またとくに犬や猫等のペットの排泄物は、中に配されているポリマーシート５５によって吸収されるために、ペットが不快感を感じ難くなる。
【００３２】
次に図１５および図１６によって変形例を説明する。上記実施の形態においては、天板１８のスリット状開口１９の部分に吊下げひも５０を取付けるようにしているが、このような構成に代えて、蓋板１５の先端側の部分に取付け板６９を連設するとともに、この取付け板６９の先端部分を折返して折返し部７０とし、取付け板６９と折返し部７０との間に吊下げひも５０の両端の結び目を挟着して接着固定することによって、吊下げひも５０を取付けることが可能になる。
【００３３】
このような構成によっても、吊下げひも５０でこの動物用収納箱を持運ぶことが可能になる。しかもここでは両側の蓋板１５の先端部にそれぞれ取付け板６９を取付けるようにしているために、２本の吊下げひも５０が取付けられることになる。従ってより確実にこの動物用収納箱を持運ぶことが可能になる。
【００３４】
次に図１７および図１８によって別の変形例を説明する。この変形例は、底板１１上に配される載置板５３の上に、図１８に示すような偏平な防水用トレー７２を配したものである。このような防水用トレー７２を配することによって、水が外部に漏れるのを防止することができる。このようなトレーは、中に例えば爬虫類やクワガタ等の昆虫を入れる場合に用いられてよい。またこの防水用トレー７２と載置板５３または底板１１との間に、必要に応じて上述の放熱板５４あるいは面状発熱体５８を配し、冷却あるいは加温を行なうようにしてもよい。またここで防水用トレー７２としては、とくに生分解性の合成樹脂によって成形することにより、廃棄処理が容易になる利点をもたらす。
【００３５】
以上本願発明を図示の実施の形態によって説明したが、本願発明は上記実施の形態によって限定されることなく、本願発明の技術的思想の範囲内において各種の変更が可能である。例えば上記実施の形態の包装箱の寸法や縦横比等については、中に収納する動物の種類、大きさ、重さ等に応じて各種の設計変更が可能である。また短辺側側板２６の円形の開口３０を塞ぐための閉塞板６７については、必要に応じて省略することが可能である。
【産業上の利用可能性】
【００３６】
本願発明は、犬や猫等の動物を入れて持運ぶのに用いて好適な動物用収納箱として利用できる。
【図面の簡単な説明】
【００３７】
【図１】動物用収納箱を組立てるための段ボールの展開平面図である。
【図２】同段ボールを組立てる動作を示す斜視図である。
【図３】同段ボールを組立てる動作を示す斜視図である。
【図４】直方体状に組立てられた収納箱の分解斜視図である。
【図５】同組立て斜視図である。
【図６】上部開口を蓋板１５で閉じて持運べるようにした状態の斜視図である。
【図７】ロック片による側部のロック動作を示す要部斜視図である。
【図８】同包装箱の縦断面図である。
【図９】図８とは直角方向の縦断面図である。
【図１０】内部に収納される載置板の構成を示す分解斜視図である。
【図１１】同要部縦断面図である。
【図１２】内部に収納される面状発熱体の外観斜視図である。
【図１３】同面状発熱体の一部を破断した平面図である。
【図１４】同面状発熱体の縦断面図である。
【図１５】変形例の構成を示す動物用収納箱の外観斜視図である。
【図１６】同収納箱の吊下げひもの取付け構造を示す要部縦断面図である。
【図１７】別の変形例の構成を示す包装箱の縦断面図である。
【図１８】内部に収納されるトレーの外観斜視図である。
【符号の説明】
【００３８】
１１  底板
１２  折曲げ線
１３  長辺側側板
１４  折曲げ線
１５  蓋板
１６  通気孔
１７  折曲げ線
１８  天板
１９  スリット状開口
２０  折曲げ線
２１  押え板
２５  折曲げ線
２６  短辺側側板
２７  折曲げ線
２８  補助蓋板
２９  斜めの折曲げ線
３０  円形の開口
３３  折曲げ線
３４  補助側板
３５  上縁側の切込み
３６  下縁側の切込み
４０  ロック片
４１  切込み
４２  折曲げ線
４３  切断線
４４  円形孔
４５  係止部
４６  係止片
４８  抜け防止板
４９  挿通孔
５０  吊下げひも
５３  載置板
５４  放熱板
５５  ポリマーシート
５６  側壁部
５８  面状発熱体
５９  カーボングラファイトのパターン
６０  端子板
６１  リード線
６２  耐熱樹脂フィルム
６５  補助底板
６６  折曲げ線
６７  閉塞板
６９  取付け板
７０  折返し部
７２  トレー
【図１】
2008220854.tif 000003
【図２】
2008220854.tif 000004
【図３】
2008220854.tif 000005
【図４】
2008220854.tif 000006
【図５】
2008220854.tif 000007
【図６】
2008220854.tif 000008
【図７】
2008220854.tif 000009
【図８】
2008220854.tif 000010
【図９】
2008220854.tif 000011
【図１０】
2008220854.tif 000012
【図１１】
2008220854.tif 000013
【図１２】
2008220854.tif 000014
【図１３】
2008220854.tif 000015
【図１４】
2008220854.tif 000016
【図１５】
2008220854.tif 000017
【図１６】
2008220854.tif 000018
【図１７】
2008220854.tif 000019
【図１８】
2008220854.tif 000020